(57)【要約】【課題】  設計や組み立て施工が容易にして、且つ、小型化も容易に可能とする流体切換え制御バルブ装置及び流体制御切換えバルブ用セットを提供する。【解決手段】  角パイプと電磁三方弁110と接続パイプ140及び閉塞部材130の組み合わせであって、前記角パイプは、両端に接続部を備えた流路穴を有し、一側面に複数個の分岐穴を有する分岐角パイプ125と側面に分岐穴を有しない貫通角パイプ121との組み合わせとされ、前記電磁三方弁110は３本の接続管部の先端に接続部を備えて前記角パイプの流路穴に接続されるものとし、前記接続パイプ140は、前記角パイプを密接させて並ばせたときに所定の角パイプの前記分岐穴と他の角パイプの分岐穴とを接続する所定長さとされ、前記閉塞部材130は、前記分岐穴に固定可能とされている流体制御切換えバルブ用セットにより組み立てた流体切換え制御バルブ装置480とする。【選択図】    図１０
2019015329.tif 000002
【特許請求の範囲】
【請求項１】
角パイプと電磁三方弁と接続パイプ及び閉塞部材との組み合わせであって、
前記角パイプは、両端に流路穴を有し、一側面に複数個の分岐穴を有する分岐角パイプと側面に分岐穴を有しない貫通角パイプとの組み合わせとされ、
前記電磁三方弁は３本の接続管部を有し、各接続管部の先端に接続部を備えて前記角パイプの流路穴に接続されるものとし、
前記接続パイプは、前記角パイプを密接させて並ばせたときに所定の角パイプの前記分岐穴と他の角パイプの前記分岐穴とを接続する所定長さとされて両端に前記分岐穴に接続される接続部を備え、
前記閉塞部材は、前記角パイプの前記流路穴及び前記分岐角パイプの前記分岐穴に固定可能とされていることを特徴とする流体制御切換えバルブ用セット。
【請求項２】
前記電磁三方弁は、前記各接続管部の先端を一直線上に等間隔とし、前記各接続管部の先端の前記各接続部を、当該接続部の中心軸線と直交する一平面上に配置していることを特徴とする請求項１に記載した流体制御切換えバルブ用セット。
【請求項３】
前記角パイプは、その端部に前記流路穴と併せてエア抜きバルブ穴を備える端部材を有することを特徴とする請求項１又は請求項２に記載した流体制御切換えバルブ用セット。
【請求項４】
前記接続パイプは、フレキシブルパイプとされて両端に前記接続部を備えることを特徴とする請求項１乃至請求項３の何れかに記載した流体制御切換えバルブ用セット。
【請求項５】
前記角パイプの少なくとも一側面を覆う断熱材を更に有することを特徴とする請求項１乃至請求項４の何れかに記載した流体制御切換えバルブ用セット。
【請求項６】
断面が同一の太さ及び形状の矩形とされ、且つ、同一長さとされて両端に流路穴を有する複数本の角パイプが二列に並べられ、前記角パイプの上端を相互に接続する複数個の電磁三方弁を有し、前記角パイプは、一側面に複数個の分岐穴を有する分岐角パイプと側面に分岐穴を有しない貫通角パイプの組み合わせとされ、前記角パイプの内の所定の前記分岐角パイプの前記分岐穴と他の所定の分岐角パイプの前記分岐穴とが接続パイプにより接続されると共に、前記接続パイプの接続されない前記分岐穴及び配管が接続されない前記流路穴が閉塞部材で閉鎖されていることを特徴とする流体切換え制御バルブ装置。
【請求項７】
前記電磁三方弁は３本の接続管部を有し、前記各接続管部の先端を一直線上に等間隔として隣接する前記角パイプの間隔と等しくされ、前記各接続管部の先端の各接続部を、当該接続部の中心軸線と直交する一平面上に配置していることを特徴とする請求項６に記載した流体切換え制御バルブ装置。
【請求項８】
二列として相互に密接された前記角パイプと前記角パイプとの間には、断熱材が挿入されていることを特徴とする請求項６又は請求項７に記載した流体切換え制御バルブ装置。
【請求項９】
二列に並べられた複数本の前記角パイプ、及び、前記接続パイプの接続されない前記分岐穴や配管が接続されない前記流路穴に固定した前記閉塞部材が、一体成型された合成樹脂製のパイプブロックとされていることを特徴とする請求項６又は請求項７に記載した流体切換え制御バルブ装置。
【請求項１０】
前記パイプブロックの前記角パイプにおける各角パイプの両端に設けられた前記流路穴を連通する空腔の相互間には、空気層による断熱空間が形成されていることを特徴とする請求項９に記載した流体切換え制御バルブ装置。
【発明の詳細な説明】
【技術分野】
【０００１】
本発明は、多数の切換えバルブを組み込む流体制御回路を形成する流体切換え制御バルブ装置及びこの流体切換え制御バルブ装置を組み立てる為の流体制御切換えバルブ用セットに関するものである。
【背景技術】
【０００２】
今日、ヒートポンプ用熱媒液等の種々の流体を搬送制御する流体制御回路が各種プラントや各種システムに組み込まれており、種々の流体を目的に合わせて所要の機械器具や装置に供給し、また、所定の流体を供給すべき機械器具や装置を切り換えることができるように制御している。
【０００３】
例えば第１文献とする特許第６０６０４６３号に開示されたヒートポンプシステムは、太陽熱又は人工排熱や地中熱を一旦熱媒調整槽に集め、熱媒調整槽に集めた熱をヒートポンプに供給して１０℃前後に温度低下させた熱媒液とし、又はヒートポンプにより５０℃前後に温度上昇させた熱媒液とし、この低温の熱媒液と高温の熱媒液とを用いて生活用の冷水や温水を蓄えると共に、屋内の冷房や暖房を行うものである。
【０００４】
このため、このヒートポンプシステムでは、熱媒調整槽に蓄えた熱媒液をヒートポンプの凝縮器外部回路又は蒸発器外部回路に供給するように熱媒調整槽とヒートポンプとを接続し、且つ、熱媒調整槽に接続されないヒートポンプの凝縮器外部回路を温水槽に、また、熱媒調整槽に接続されないヒートポンプの蒸発器外部回路を冷水槽に接続し、更に熱媒調整槽に接続されないヒートポンプの凝縮器外部回路又は蒸発器外部回路を冷暖房装置に接続してヒートポンプを駆動するようにしている。
【０００５】
この様に、ヒートポンプの凝縮器外部回路及び蒸発器外部回路を熱媒調整槽や温水槽、冷水槽、冷暖房装置に接続切り換えを行う流体制御切換え回路は、三十個近くの電磁三方弁が使用される。
【０００６】
また、第２文献とする特許第５７５１５９９号に開示された給湯冷暖房システムは、太陽熱と地中熱とを熱源熱とし、ヒートポンプを用いて給湯タンクに温水を蓄えると共に、冷暖房装置に温熱や冷熱を供給可能とするものである。
【０００７】
この給湯冷暖房システムにおいても、地中熱採熱器からの配管や太陽熱採熱パネルからの配管をヒートポンプの凝縮器外部配管や蒸発器外部配管と接続し、温水タンクや空調装置をヒートポンプの凝縮器外部配管や蒸発器外部配管と接続するために各配管の接続切り換えを行う切換え制御バルブ回路として、数十個のバルブである電磁三方弁及び電磁開閉弁が使用されている。
【０００８】
このように多数の切換えバルブをカスケード接続することにより、特定の装置への配管と他の装置への配管との接続を切り換える流体制御回路を形成する流体切換え制御バルブ装置は、通常、直管やＵ字管、Ｌ字管、クランク管などの鋼管の接続部に開閉弁や三方弁、四方弁、流量制御弁等のバルブ類を組み込んで鋼管の立体的組み合わせにより制御バルブ装置を組上げるか、制御盤ボードの所要位置にバルブ類を固定して各バルブの接続口にフレキシブルパイプ等を取り付けて所定のバルブの接続口を他の所定のバルブの接続口と接続するようにしていた。
【先行技術文献】
【特許文献】
【０００９】
【特許文献１】特許第６０６０４６３号公報
【特許文献２】特許第５７５１５９９号公報
【発明の概要】
【発明が解決しようとする課題】
【００１０】
上述の様に、バルブが十数個乃至数十個必要とされる流体制御切換え回路を形成する流体切換え制御バルブ装置は、各バルブの固定位置及び各バルブの接続口相互を接続するパイプの配置等が複雑となり、流体切換え制御バルブ装置の設計施工を困難としていた。
【００１１】
また、接続パイプとして直管やＵ字管、Ｌ字管等の鋼管を組み合わせて用いた流体制御切換え回路は、各バルブの間隔を小さくすることが困難な場合が多く、流体制御切換え回路を構成する流体切換え制御バルブ装置が大型化する欠点もあった。
【００１２】
本発明は、このような欠点を排除し、設計や組み立て及び施工が容易にして、且つ、小型化も容易に可能とした流体切換え制御バルブ装置及びこの流体切換え制御バルブ装置を組み立てる為の流体制御切換えバルブ用セットを提供するものである。
【課題を解決するための手段】
【００１３】
本発明に係る流体制御切換えバルブ用セットは、角パイプと電磁三方弁と接続パイプ及び閉塞部材との組み合わせであって、前記角パイプは、両端に流路穴を有し、一側面に複数個の分岐穴を有する分岐角パイプと側面に分岐穴を有しない貫通角パイプとの組み合わせとされ、前記電磁三方弁は３本の接続管部を有し、各接続管部の先端に接続部を備えて前記角パイプの流路穴に接続されるものとし、前記接続パイプは、前記角パイプを密接させて並ばせたときに所定の角パイプの前記分岐穴と他の角パイプの前記分岐穴とを接続する所定長さとされて両端に前記分岐穴に接続される接続部を備え、前記閉塞部材は、前記角パイプの前記流路穴及び前記分岐角パイプの前記分岐穴に固定可能とされているものとする。
【００１４】
また、前記電磁三方弁は、前記各接続管部の先端を一直線上に等間隔とし、前記各接続管部の先端の前記各接続部を、当該接続部の中心軸線と直交する一平面上に配置することがある。
【００１５】
そして、前記角パイプは、その端部に前記流路穴と併せてエア抜きバルブ穴を備える端部材を有することがある。
【００１６】
更に、前記接続パイプは、フレキシブルパイプとされて両端に前記接続部を備えるようにすることもある。
【００１７】
そして、前記角パイプの少なくとも一側面を覆う断熱材を更に有する流体制御切換えバルブ用セットとすることもある。
【００１８】
また、本発明に係る流体切換え制御バルブ装置は、断面が同一の太さ及び形状の矩形とされ、且つ、同一長さとされて両端に流路穴を有する複数本の角パイプが二列に並べられ、前記角パイプの上端を相互に接続する複数個の電磁三方弁を有し、前記角パイプは、一側面に複数個の分岐穴を有する分岐角パイプと側面に分岐穴を有しない貫通角パイプの組み合わせとされ、前記角パイプの内の所定の前記分岐角パイプの前記分岐穴と他の所定の分岐角パイプの前記分岐穴とが接続パイプにより接続されると共に、前記接続パイプの接続されない前記分岐穴及び配管が接続されない前記流路穴が閉塞部材で閉鎖されているものである。
【００１９】
そして、前記流体切換え制御バルブ装置の前記電磁三方弁は、３本の接続管部を有し、前記各接続管部の先端を一直線上に等間隔として隣接する前記角パイプの間隔と等しくされ、前記各接続管部の先端の各接続部を、当該接続部の中心軸線と直交する一平面上に配置しているものとすることがある。
【００２０】
更に、前記流体切換え制御バルブ装置は、二列として相互に密接された前記角パイプと前記角パイプとの間には、断熱材が挿入されていることもある。
【００２１】
また、二列に並べられた複数本の前記角パイプ、及び、前記接続パイプの接続されない前記分岐穴や配管が接続されない前記流路穴に固定した前記閉塞部材が、一体成型された合成樹脂製のパイプブロックとされることもある。
【００２２】
そして、前記パイプブロックの前記角パイプにおける各角パイプの両端に設けられた前記流路穴を連通する空腔の相互間には、空気層による断熱空間が形成されることもある。
【発明の効果】
【００２３】
本発明に係る流体制御切換えバルブ用セットは、角パイプと電磁三方弁と接続パイプ及び閉塞部材の組み合わせであって、角パイプの各端部に電磁三方弁の接続管部の先端を接続可能とし、密接させて配置する角パイプの内の所定の角パイプの分岐穴と他の角パイプの分岐穴とを接続パイプで接続して流体制御回路を形成可能とするセットであるから、複数の電磁三方弁の各ポートを接続するカスケードバルブ回路であっても、角パイプを密接させて並べることにより、流体制御回路の組み立てが容易であって、且つ、大きな空間を要しない小型の流体制御回路とすることを可能にすることができる。
【００２４】
また、電磁三方弁の接続管部の先端を等間隔として一直線上且つ同一平面上に並べることにより、当該電磁三方弁に接続する３個の角パイプの高さを一致させて相互に密接させることを可能とし、三方弁と角パイプとの組み合わせ、ひいては複数の電磁三方弁による流体制御回路としての流体切換え制御バルブ装置の組み立てを容易としつつ、流体切換え制御バルブ装置の小型化も容易とすることができる。
【００２５】
そして、角パイプの端部にエア抜きバルブ穴を備える端部材を有する角パイプとすることにより、回路中に気泡等が混入した場合であっても、脱気処理を容易として流体切換え制御バルブ装置の保守を簡単に行うことができるようにすることが可能となる。
【００２６】
更に、接続パイプとしてフレキシブルパイプを用いれば、複数使用する角パイプ、及び、角パイプの一側面に設ける分岐穴、等に製造誤差が生じている場合であっても、当該流体制御切換えバルブ用セットによる流体切換え制御バルブ装置の組み立てを容易かつ迅速に行うことができる。
【００２７】
そして、角パイプの少なくとも一側面を覆う断熱材を有する流体制御切換えバルブ用セットとすることにより、流体切換え制御バルブ装置を組み立てる際に角パイプと角パイプとの間に断熱材を配置することを可能とし、温度差を有する流体を隣接する角パイプに流す場合があっても、流体の当該流体制御回路を通過する際の温度変化を少なくして効果的に流体の通過制御を行うことができる。
【００２８】
また、本発明に係る流体切換え制御バルブ装置は、断面が同一形状且つ同一長さとされる角柱状の角パイプが二列に並べられ、前記角パイプ上端の流通穴を相互に接続する電磁三方弁を有し、前記角パイプは、一側面に複数個の分岐穴を有する分岐角パイプと側面に分岐穴を有しない貫通角パイプとされ、前記分岐角パイプの分岐穴と他の分岐角パイプの分岐穴と接続パイプで接続し、前記接続パイプが接続されない前記分岐穴や配管が接続されない流路穴を閉塞部材で閉鎖するものであるから、複数の電磁三方弁の各ポートを接続するカスケードバルブ回路であっても、角パイプを密接させて並べることにより、全体を略直方体形状として小型の流体制御回路とすることが容易に可能となる。
【００２９】
そして、電磁三方弁における接続管部の先端を等間隔とし、一直線上且つ同一平面上に並べることにより、当該電磁三方弁に接続する３個の角パイプの高さを一致させて相互に密接させることを可能とし、当該電磁三方弁による流体制御回路としての流体切換え制御バルブ装置の組み立てを容易としつつ流体切換え制御バルブ装置の小型化も容易とすることができる。
【００３０】
更に、二列とされた角パイプと角パイプとの間に断熱材を有する流体切換え制御バルブ装置することにより、ヒートポンプの蒸発器外部配管と凝縮器外部配管の様に、温度差を有する流体の制御を行う流体制御回路であっても、隣接する角パイプに温度差を生じさせた流体を流す場合に流体の当該流体制御回路を通過する際の各流体の温度変化を少なくして、ヒートポンプにより温度差を生じさせた流体の効果的な通過制御を行うことができる。
【００３１】
また、二列に並べられた複数本の角パイプが一体成型された合成樹脂製のパイプブロックとすれば、電磁三方弁等の各種バルブ及び接続パイプの取り付けにより、流体制御回路とする流体切換え制御バルブ装置の組み立てを一層容易とすることができる。
【００３２】
そして、角パイプにおける各角パイプの両端に設けられた流路穴を連通する空腔の相互間に断熱空間とする空気層を形成したパイプブロックとすれば、温度差を有する流体の制御を行う流体制御回路であっても、隣接する角パイプに温度差を生じさせた流体を流す場合に流体の当該流体制御回路を通過する際の各流体の温度変化を少なくして、温度差を有する流体の通過制御を効率的に行うことができる。
【図面の簡単な説明】
【００３３】
【図１】本発明に係る流体制御切換えバルブ用セットの角パイプの例を示す図。
【図２】本発明に係る流体制御切換えバルブ用セットの電磁三方弁の一例を示す図。
【図３】本発明に係る流体制御切換えバルブ用セットの閉塞部材の一例を示す図。
【図４】本発明に係る流体制御切換えバルブ用セットの接続補助具の一例を示す図。
【図５】本発明に係る流体制御切換えバルブ用セットの接続パイプの例を示す図。
【図６】本発明に係る流体制御切換えバルブ用セットの断熱材の例を示す図。
【図７】流体切換え制御バルブ装置を用いた給湯冷暖房システムの概要を示す回路接続図。
【図８】図７に示した給湯冷暖房システムにおける流体切換え制御バルブ装置における接続回路図。
【図９】図８に示した流体切換え制御バルブ装置の接続回路図と等価の本発明に係る流体制御切換えバルブ用セットによる組み立て接続回路図。
【図１０】本発明に係る流体制御切換えバルブ用セットにより組み上げた流体切換え制御バルブ装置の前方上方斜視図。
【図１１】本発明に係る流体制御切換えバルブ用セットにより組み上げた流体切換え制御バルブ装置の前方下方斜視図。
【図１２】本発明に係る流体制御切換えバルブ用セットにより組み上げた流体切換え制御バルブ装置の背面斜視図。
【図１３】本発明に係る流体制御切換えバルブ用セットによる角パイプと断熱材とを組み合わせた状態の前方上方斜視図。
【図１４】本発明に係る流体制御切換えバルブ用セットによる角パイプと断熱材とを組み合わせて閉塞部材と接続補助具とを取り付けた状態の前方上方斜視図。
【図１５】本発明に係る流体制御切換えバルブ用セットによる角パイプと断熱材とを組み合わせて閉塞部材と接続補助具とを取り付け、更に側面断熱材及び穴開き断熱材を取り付けた状態の前方上方斜視図。
【図１６】断熱材の変形例を示す斜視図。
【図１７】（Ａ）は断熱材と角パイプとの他の組み合わせを示す斜視図、（Ｂ）及び（Ｃ）はＬ型断熱材と側面断熱材及び穴開き断熱材により角パイプを組み合わせた状態を示す上面図。
【図１８】本発明に係る流体切換え制御バルブ装置におけるフレーム枠により角パイプを固定した状態を示す斜視図。
【発明を実施するための形態】
【００３４】
本発明に係る流体制御切換えバルブ用セットの実施の形態は、図１に示す角パイプ120、図２に示す電磁三方弁110、図３に示す閉塞部材130、図４に示す接続補助具135、図５に示す接続パイプ140、及び、図６に示す断熱材で構成するものである。
【００３５】
この角パイプ120は、図１に示したように、貫通角パイプ121と分岐角パイプ125との２種類の角パイプ120を用いるものであり、貫通角パイプ121は、外形が矩形にして軸方向には内部が貫通した流路となる空腔を有する所定長さの角パイプ120であって、両端に端部材128を有するものである。
【００３６】
この両端の端部材128は、中央に流路穴123を有し、流路穴123には雌ネジによる接続部129が形成されるものである。尚、角パイプ120の両端に設けられた端部材128の一方にはエア抜きバルブ穴122が設けられており、角パイプ120（配管）に溜まった空気を除去可能としている。
【００３７】
また、分岐角パイプ125は、貫通角パイプ121の一側面に複数個の分岐穴126を有するものである。この分岐穴126は、角パイプ120の内部の空腔に連通し、端部材128に設けた流路穴123と同一直径にして同一ピッチの雌ネジによる接続部129が各分岐穴126に形成されるものである。
【００３８】
そして、この貫通角パイプ121及び分岐角パイプ125は、同一長さＴ3とされると共に、同一幅Ｔ1、同一奥行Ｔ2の矩形型の断面形状とされた角柱とされているものである。
【００３９】
また、電磁三方弁110は、図２に示したように、切換え弁を内蔵する弁本体111の上方にサーボ機構を内蔵する制御部113を有し、弁本体111から三方に分かれる接続管部115を備えるものである。
【００４０】
この接続管部115は、その各先端に接続部117とするシーリングナットを有し、３個のシーリングナットは、ナットの中心軸線を相互に平行とし且つ直線状に一定間隔Ｓ1として、接続部117とするシーリングナットの中心軸線と直交する一平面上に配置するように両側の接続管部115を湾曲させているものである。
【００４１】
尚、このシーリングナットは、夫々接続管部115に対して回転自在とされ、雄ネジに対してこのシーリングナットを回し込むと、接続管部115の先端を雄ネジに対して密着固定させることができる接続部117としているものである。
【００４２】
また、この電磁三方弁110は、ａポートとｂポートとの連通、ｂポートとｃポートとの連通、ｃポートとａポートとの連通の各ポートの連通接続の切り換えの他、全ポートの閉鎖及び全ポートの連通、の切り換えをも可能としているものである。
【００４３】
そして、閉塞部材130は、図３に示したように、シーリングボルトを用いるものであり、外周に雄ネジが形成された円柱状の挿入部133と挿入部133よりも直径が大きくされた六角形の頭部131を有し、挿入部133を角パイプ120の流路穴123や分岐穴126に形成した接続部129としての雌ネジに螺合可能とされるものである。従って、この閉塞部材130としたシーリングボルトの挿入部133を流路穴123や分岐穴126に螺入することにより、角パイプ120の流路穴123や分岐穴126を密閉閉鎖することができる。
【００４４】
また、接続補助具135は、図３に示したように、パイプボルトを用いるものであり、六角形のナット状の中央頭部136を有し、中央頭部136の両側に各々外周に雄ネジを形成した円柱状の挿入固定部137を有するものである。そして、中央頭部136の両側に設けた挿入固定部137は、両挿入固定部137の中心軸線を同一直線状とし、一方の挿入固定部137の先端から他方の挿入固定部137の先端に至る貫通穴139を有するものである。
【００４５】
更に、この挿入固定部137の外周に形成される雄ネジは、閉塞部材130としたシーリングボルトの挿入部133に形成する雄ネジと同一ピッチ同一直径の雄ネジとし、一方の挿入固定部137を角パイプ120の流路穴123や分岐穴126に螺入して当該接続補助具135を角パイプ120に固定可能としているものである。
【００４６】
また、接続パイプ140は、図５に示したように、直線状の本体部141と、本体部141の両端で本体部141から直角方向に曲げられた端部143とを有し、該本体部141の両端の端部143に接続部147としてのシーリングナットを有するものである。
【００４７】
この本体部141の両端の端部143に設けられるシーリングナットは、電磁三方弁110の接続管部115の端部に設けたシーリングナットと同一のシーリングナットであって、接続パイプ140の端部143に対して回転自在とされ、接続補助具135の挿入固定部137と螺合可能とされるものである。
【００４８】
また、各接続パイプ140の両端に設けた接続部147としてのシーリングナットは、両シーリングナットの中心軸線を平行とし、第３パイプ253は両接続部147の間隔をＬ3とし、第６パイプ256は両接続部147の間隔を第３パイプ253の両接続部147の間隔Ｌ3の２倍であるＬ6とし、第１０パイプ260は両接続部147の間隔を第３パイプ253の両接続部147の間隔Ｌ3の１０／３倍であるＬ10とするものである。
【００４９】
更に、第３パイプ253の両接続部147の間隔Ｌ3の１／３の間隔Ｌ1とされる両接続部147の間隔を有する図５には示さない第１パイプを有し、この両接続部147の間隔がＬ1の第１パイプとした接続パイプ140の長さの整数倍とされる種々の長さＬｎとされ、角パイプ120を相互に密接させて並べた所要個数の間隔に合わせた所要長さの鋼管製の接続パイプ140を用意するものである。
【００５０】
そして、断熱材は、図６に示したように、Ｌ字状板状体のもの、クランク状板状体のもの、平板状体及び穴開き平板状体のものとする。
【００５１】
このＬ字状板状体形のＬ型断熱材151は、平板状の主断熱面部161と平板状の仕切り断熱面部163とを直交させて端部で接続することによりＬ字形とし、主断熱面部161及び仕切り断熱面部163の長さＣを角パイプ120の長さＴ3と一致させているものである。
【００５２】
また、仕切り断熱面部163の主断熱面部161からの突出長さは角パイプ120の幅Ｔ1と一致させ、主断熱面部161の仕切り断熱面部163からの突出長さは角パイプ120の奥行きＴ2よりも僅かに長くしている。
【００５３】
そして、クランク状板状体のクランク型断熱材153は、平板状の仕切り断熱面部163の両端から各々逆方向に平板状の主断熱面部161を延設しているものであり、主断熱面部161及び仕切り断熱面部163の長さＣを角パイプ120の長さＴ3と一致させているものである。
【００５４】
また、仕切り断熱面部163の主断熱面部161からの突出長さは角パイプ120の幅Ｔ1と一致させ、２つの主断熱面部161の仕切り断熱面部163からの各突出長さは角パイプ120の奥行きＴ2よりも僅かに長くしている。
【００５５】
そして、平板状体の側面断熱材155は、長さＣを角パイプ120の長さＴ3と一致させ、幅を角パイプ120の幅Ｔ1と一致させた平板状体であり、穴開き断熱材157は、側面断熱材155と同一大きさの板状体であって、分岐角パイプ125の分岐穴126の位置に一致させて分岐穴126よりも僅かに大きな透孔を有するものである。
【００５６】
そして、この流体制御切換えバルブ用セットとする角パイプ120や電磁三方弁110、閉塞部材130、接続補助具135、接続パイプ140、及び、断熱材を用いて、例えば図１０に示すような流体切換え制御バルブ装置480を組み立てるものである。
【００５７】
即ち、本件出願人が所有する特許第７５１５９９号に開示された給湯冷暖房システムは、図７に示すように、流体切換え制御バルブ装置483に接続される熱源熱を採取する地中熱採熱配管431や太陽熱採熱パネル435を接続する太陽熱採熱配管436と、温水タンク451の上部加熱配管453及び下部加熱配管455、空調装置461や床冷暖房装置471への配管463,473、更に、熱媒タンク441への上部配管443、中央配管444、下部配管445と、ヒートポンプ410の凝縮器外部配管421及び蒸発器外部配管425と、を備えるものである。
【００５８】
尚、ヒートポンプ410は、圧縮機411から吐出された内部熱媒液を凝縮器412、膨張弁413、蒸発器414を介して圧縮機411に戻すように循環させ、凝縮器外部配管421を流れる熱媒液に放熱しつつ蒸発器外部配管425を流れる熱媒液から吸熱を行うようにして熱移動を行うものである。
【００５９】
そして、この流体切換え制御バルブ装置483は、太陽熱採熱パネル435により熱媒液が十分に高温とされたときは、太陽熱採熱配管436を温水タンク451の下部加熱配管455や熱媒タンク441の中央配管444に接続して温水タンク451に蓄えた上水や熱媒タンク441に蓄えられた熱媒液を５０℃〜６０℃程度に加熱し、熱媒タンク441に蓄えた高温の熱媒液により空調装置461や床冷暖房装置471の暖房運転を可能としている。
【００６０】
この太陽熱採熱パネル435で高温とされた熱媒液は、太陽熱採熱配管436に設けた太陽熱循環ポンプ437により流体切換え制御バルブ装置483を介して温水タンク451や熱媒タンク441に送られる。
【００６１】
また、天候等により太陽熱採熱パネル435で熱媒液を５０℃以上等の高温にできないときは、太陽熱採熱配管436をヒートポンプ410の蒸発器外部配管425に接続し、ヒートポンプ410の凝縮器外部配管421を温水タンク451の上部加熱配管453や熱媒タンク441の上部配管443及び下部配管445に接続することにより、ヒートポンプ410により５０℃〜６０℃程度に昇温させた熱媒液により温水タンク451に蓄えた上水や熱媒タンク441に蓄えられた熱媒液を加熱し、熱媒タンク441の上部配管443及び下部配管445を空調装置461や床冷暖房装置471への配管に接続して暖房運転を可能とする。
【００６２】
そして、空調装置461や床冷暖房装置471により冷房運転を行う時は、ヒートポンプ410の蒸発器外部配管425を熱媒タンク441の上部配管443及び下部配管445に接続し、熱媒タンク441の他の上部配管443及び下部配管445を空調装置461や床冷暖房装置471への配管に接続し、ヒートポンプ410の凝縮器外部配管421を温水タンク451の上部加熱配管453や地中熱採熱配管431に接続するものである。
【００６３】
尚、ヒートポンプ410を作動させるときは、凝縮器外部配管421に設けた凝縮器外部循環ポンプ423及び蒸発器外部配管425に設けた蒸発器外部循環ポンプ427により熱媒液を流体切換え制御バルブ装置483からヒートポンプ410の外部循環回路に循環させている。
【００６４】
また、熱媒タンク441から空調装置461に熱媒液を循環させるには空調用配管463に設けた送出ポンプ464を用いているも、床冷暖房装置471は、切換えバルブ477により床冷暖房装置471の内部で熱媒液を循環可能とし、適宜、切換えバルブ477による接続を変更して熱媒タンク441から熱媒液を床冷暖房装置471に引き込むものとして床冷暖房装置471の循環ポンプ474を床冷暖房装置471に組み込んでいる。
【００６５】
この様に、太陽熱採熱配管436を温水タンク451や熱媒タンク441の配管に、また、ヒートポンプ410の蒸発器外部配管425や凝縮器外部配管421を太陽熱採熱配管436や地中熱採熱配管431、温水タンク451や熱媒タンク441への配管に、更に空調装置461及び床冷暖房装置471への配管を適宜熱媒タンク441に接続するように各配管の接続を切り換える流体切換え制御バルブ装置483は、図８に示すように、第１バルブ301から第１５バルブ315とされる１５個の電磁三方弁を内蔵し、図７に示したバルブ制御装置485により各電磁三方弁301〜315におけるポートの接続が制御されるものである。
【００６６】
そして、この図８に示した流体切換え制御バルブ装置483とした流体制御回路は、図９に示すように表すことができる。
尚、図９に示す流体切換え制御バルブ装置480は、図８に示した流体切換え制御バルブ装置483の開閉バルブ317を外した電磁三方弁301〜315のみによる三方弁をカスケード接続した流体切換え制御バルブ装置480としている。
【００６７】
即ち、図１０乃至図１２に示すように、２列に多数の角パイプ120を配置してこの角パイプ120の上方に複数の電磁三方弁110を配置する流体切換え制御バルブ装置480とし、電磁三方弁110である第１バルブ301のａポートは、第１縦管201の端部に接続し、第１縦管201と第２４縦管224とをＬ２４とする第２４パイプ274で接続して第２４縦管224の端部を第８バルブ308のｃポートと接続することにより、第１バルブ301のａポートを第８バルブ308のｃポートと接続する。
【００６８】
尚、第１縦管201乃至第２４縦管224の一列を前方列とし、図１０及び図１１において、前列の左側から右側へ順に第１縦管201から第２４縦管224を並べ、第２５縦管225乃至第４９縦管249の一列を後方列として、同様に図１０及び図１１において左側から右側へ順に並べるものとする。尤も、前方列の第１２縦管212と第１３縦管213との間には、図１０等に示すように、縦管１本分の間隙を設けて４９本の縦管（角パイプ120）によるパイプブロックとしている。
【００６９】
また、第１バルブ301のｂポートを第２縦管202の端部に、ｃポートを第３縦管203の端部に接続し、第３縦管203と第１３縦管213とをＬ１１の第１１パイプ261で接続して第１３縦管213の端部に第５バルブ305のａポートを接続することにより第１バルブ301のｃポートを第５バルブ305のａポートを接続する。
【００７０】
同様に、第２バルブ302のａポートは第４縦管204の上端に接続し、第４縦管204の下端は、Ｌ１に近似したＬ１'の長さとする隣接接続パイプ251'で第２８縦管228の下端に接続し（図１１参照）、図１２に示すように、流体切換え制御バルブ装置480の裏面において第２８縦管228と第３１縦管231とをＬ３の第３パイプ253により接続し、第３１縦管231の上端に第１０バルブ310のｃポートを接続する。
【００７１】
第２バルブ302のｂポートは第５縦管205の上端に、ｃポートは第６縦管206の上端に接続する。第３バルブ303のａポートは第７縦管207の上端に、ｂポートは第８縦管20８の上端に、ｃポートは第９縦管209の端部に接続し、第８縦管20８と第１２縦管212とをＬ４の第４パイプ254で接続する。第４バルブ304のａポートは第１０縦管210の上端に、ｂポートは第１１縦管211の上端に接続している。
【００７２】
そして、第１０図等に示す様に。第１２縦管212と第１３縦管213との間に空間を設けつつ、第５バルブ305のａポートを上端に接続した第１３縦管213は、第３縦管203と接続されると共に第２２縦管222ともＬ９の第９パイプ259により接続されて第２２縦管222の上端が第８バルブ308のａポートに接続されるものである。
【００７３】
第５バルブ305のｂポートは第１４縦管214の上端に、第１４縦管214はＬ３の第３パイプ253により第１７縦管217に、第１７縦管217の上端に第６バルブ306のｂポートを接続する。
第５バルブ305のｃポートは第１５縦管215の上端に、第１５縦管215をＬ６の第６パイプ256により第２１縦管221に、第２１縦管221の上端に第７バルブ307のｃポートを接続する。
【００７４】
第６バルブ306のａポートは第１６縦管216の上端に、第１６縦管216の下端は隣接接続パイプ251'により第４１縦管241の下端に接続し、第４１縦管241はＬ４の第４パイプ254により第４５縦管245に接続して第４５縦管245の上端に第１５バルブ315のａポートを接続する。
【００７５】
第６バルブ306のｃポートは第１８縦管218の上端に、第１８縦管218をＬ１の第１パイプ251により第１９縦管219に、第１９縦管219の上端に第７バルブ307のａポートを接続する。
第７バルブ307のｂポートは第２０縦管220の上端に接続する。
【００７６】
第８バルブ308のｂポートは第２３縦管223の上端に接続され、第２３縦管223の下端は隣接接続パイプ251'により第４８縦管248の下端に、第４８縦管248はＬ２１の第２１パイプ271により第２７縦管227に接続され（図１２参照）、第２７縦管227の上端に第９バルブ309のｃポートが接続される。
【００７７】
また、第８バルブ308のｃポートが接続された第２４縦管224の下端は隣接接続パイプ251'により第４９縦管249の下端に接続され、第４９縦管249はＬ１３の第１３パイプ263により第３６縦管236に接続され、第３６縦管236の上端に第１２バルブ312のｂポートが接続される。
【００７８】
第９バルブ309のａポートは第２５縦管225の上端に接続され、ｂポートは第２６縦管226の上端に接続され、ｃポートは第２７縦管227の上端に接続される。
【００７９】
第１０バルブ310のａポートは第２９縦管229の上端に接続され、ｂポートは第３０縦管230の上端に接続され、第３０縦管230はＬ３の第３パイプ253により第３３縦管233に接続され、第３３縦管233の上端に第１１バルブ311のｂポートが接続される。
【００８０】
第１１バルブ311のａポートは第３２縦管232の上端に、第３２縦管232はＬ５の第５パイプ255により第３７縦管237に、第３７縦管237の上端に第１２バルブ312のｃポートが接続される。
【００８１】
第１１バルブ311のｃポートは第３４縦管234の上端に、第３４縦管234はＬ１の第１パイプ251により第３５縦管235に、第３５縦管235の上端に第１２バルブ312のａポートが接続される。
【００８２】
第１３バルブ313のａポートは第３８縦管238の上端に、第３８縦管238はＬ６の第６パイプ256により第４４縦管244に、第４４縦管244の上端に第１４バルブ314のｃポートが接続される。
【００８３】
また、第１３バルブ313のｂポートは第３９縦管239の上端に、ｃポートは第４０縦管240の上端に接続され、第４０縦管240はＬ２の第２パイプ252により第４２縦管242に、第４２縦管242の上端に第１４バルブ314のａポートが接続される。そして、第１４バルブ314のｂポートが第４３縦管243の上端に接続される。
【００８４】
更に、第１５バルブ315のｂポートは第４６縦管246の上端に、ｃポートは第４７縦管247の上端に接続されるものである。
【００８５】
また、図９に示したように、第２縦管202の下端は凝縮器外部配管421に接続し、第６縦管206の下端を第２９縦管229の下端と合わせて凝縮器外部配管421の他方に接続するものである。
【００８６】
そして、第３縦管203の下端は開閉バルブ317を介して第１０縦管210の下端と共に地中熱採熱配管431の一方に、第５縦管205の下端を地中熱採熱配管431の他方に接続する。
【００８７】
更に、第２６縦管226の下端と第３１縦管231の下端は蒸発器外部配管425に接続し、第３１縦管231の下端は温水タンク451の上部加熱配管453の一方と接続される。この上部加熱配管453の他方は、第２５縦管225の下端に接続されるものである。
【００８８】
また、温水タンク451の下部加熱配管455は第７縦管207の下端と第４７縦管247の下端とに一方が、下部加熱配管455の他方は第９縦管209の下端に接続される。
【００８９】
そして、太陽熱採熱配管436が第１１縦管211の下端と第１８縦管218の下端に接続され、空調用配管463と床冷暖房用配管473とを合わせた配管が第３９縦管239の下端と第４３縦管243の下端に接続されるものである。
【００９０】
また、熱媒タンク441の上部配管443は第３２縦管232の下端と第３８縦管238の下端に、中央配管444は第２０縦管220の下端と第４６縦管246の下端に、下部配管445は第３４縦管234の下端と第４０縦管240の下端に接続されるものである。
【００９１】
そして、これら第１縦管201乃至第４９縦管249は、図１に示した角パイプ120を用いるものであり、表側に２４個、裏側に２５個の合計４９個の角パイプ120を二列に並べているものである。
【００９２】
尚、図１０等に示した実施例では、表側の第１２縦管212と第１３縦管213との間に間隙を設けているも、この間隙を埋めるように、配管や接続パイプ等を接続しない角パイプ120又は角パイプ120と同一大きさ及び形状を有するダミーパイプ等を挿入したパイプブロックとすることもある。
【００９３】
この図１０乃至図１２に示した流体切換え制御バルブ装置480は、１５個の電磁三方弁110を用い、１つの電磁三方弁110の各ポートを他の電磁三方弁110の所要のポート又は配管に接続するものであるため、両端に流路穴123のみを有する貫通角パイプ121と、両端の流路穴123の他に一側面に複数個の分岐穴126を有する分岐角パイプ125とを使用することとし、図１３に示すように、クランク型断熱材153を用いて４９個の角パイプ120を縦管として二列に並べるものである。
【００９４】
尚、分岐角パイプ125は、分岐穴126が角パイプ120を二列に並べた表側と裏側に位置するように揃えて配置するものである。
【００９５】
そして、分岐角パイプ125に対して接続パイプ140を接続しない分岐穴126には、図１４に示すように、閉塞部材130としたシーリングボルトを螺入し、また、接続パイプ140を接続する分岐穴126には接続補助具135としたパイプボルトを螺入固定する。
【００９６】
尚、下端が隣接接続パイプ251'により他の角パイプ120に接続される分岐角パイプ125（第２８縦管228、第４１縦管241、第４８縦管248、第４９縦管249）の上端は、何ら配管に接続するものでないため、閉塞部材130により流路穴123を塞ぐようにしている。
【００９７】
また、各角パイプ120の下端は、図１１に示したように、配管に接続しない流路穴123には閉塞部材130を、配管に接続する流路穴123には接続補助具135を固定するものである。
【００９８】
この様に、各角パイプ120の上端及び下端の流通穴に閉塞部材130や接続補助具135を、又、分岐角パイプ125の分岐穴126に閉塞部材130や接続補助具135を固定した後、図１５に示すように、貫通角パイプ121側面には側面断熱材155を、分岐角パイプ125の側面には穴開き断熱材157を取り付け、固定部材である図示しないクランプにより２列に配列した角パイプ120の全体を前後から相互に圧接固定すると共に、角パイプ120の全体を左右からも圧接させるようにして角パイプ120の上端近傍及び下端近傍を固定してパイプブロックが分解することがないようにする。
【００９９】
そして、各角パイプ120の上端には第１バルブ301乃至第１５バルブ315とした電磁三方弁110を接続部117とするシーリングナットにより接続補助具135の挿入固定部137とする雌ネジに螺入し、接続パイプ140も接続部147とするシーリングナットにより分岐角パイプ125の側面に固定した接続補助具135の挿入固定部137とする雌ネジに螺入して接続パイプ140を固定する。
【０１００】
この様に、クランク型断熱材153に２個の角パイプ120を組み合わせると共に、側面断熱材155や穴開き断熱材157を組み合わせて４９本の角パイプ120を２列に配置し、固定部材とするクランプ又はバンドを用いて全体を直方体形状に纏めた流体切換え制御バルブ装置480は、１５個の電磁三方弁110を用いて種々の配管の接続切り換えを可能とする流体切換え制御バルブ装置480であっても、角パイプ120による縦管を密接させたパイプブロックとして配置することにより、流体切換え制御バルブ装置480を容易に小型化することができる。
【０１０１】
また、電磁三方弁110における接続管部115の先端に設けた接続部117を一直線状とし且つ接続部117の中心軸線と直交する一平面に３個の接続部117を配置しており、同一形状同一大きさの角パイプ120を複数用いて流体切換え制御バルブ装置480とするため、流体切換え制御バルブ装置480全体を直方体に纏め、システムや装置への組み込みを容易とすることができる。
【０１０２】
そして、各電磁三方弁110の各ポートを他の電磁三方弁110の各ポートに接続するに際し、角パイプ120と所要長さ（Ｌ1〜Ｌｎ）の接続パイプ140により容易に整然と接続することができるため、流体切換え制御バルブ装置480の組み立てを極めて容易且つ短時間で行うことを可能とすることができるものである。
【０１０３】
尚、断熱材としては、図６に示したクランク型断熱材153に換えて、図１６に示すようなＴ字状のＴ字型板状体とするＴ型断熱材159とすることもある。
【０１０４】
このＴ型断熱材159は、平板状の主断熱面部161の中央に沿って主断熱面部161から突出する平板状の仕切り断熱面部163を有し、主断熱面部161及び仕切り断熱面部163の長さＣを角パイプ120の長さＴ3と一致させているものである。
【０１０５】
また、仕切り断熱面部163の主断熱面部161からの突出長さは角パイプ120の幅Ｔ1と一致させ、仕切り断熱面部163の両側の主断熱面部161の仕切り断熱面部163からの各突出長さは、角パイプ120の奥行きＴ2よりも僅かに長くしている。
【０１０６】
また、クランク型断熱材153やＴ型断熱材159を用いることなく、Ｌ型断熱材151と側面断熱材155や穴開き断熱材157とを組み合わせ、図１７の（Ａ）に示すように角パイプ120の側面にＬ型断熱材151を当接し、貫通角パイプ121の１面には側面断熱材155を、分岐角パイプ125の１面には穴開き断熱材157を当接し、図１７の（Ｂ）に示すようにＬ型断熱材151の仕切り断熱面部163を相互に合わせるように２本の角パイプ120を隣接させてＬ型断熱材151をクランク形状に、また、図１７の（Ｃ）に示すようにＬ型断熱材151の仕切り断熱面部163を相互に合わせるように２本の角パイプ120を隣接させてＬ型断熱材151をＴ字状として、必要個数を組み合わせるように多数の角パイプ120を並べることもある。
【０１０７】
そして、図１に示した角パイプ120は、端部の一方にエア抜きバルブ穴122を備えた端部材128を有しているも、エア抜きバルブ穴122を備えない角パイプ120を用いることもある。
【０１０８】
即ち、図１に示した角パイプ120は、外形が矩形とされると共に内部に形成される空腔も矩形とされ、矩形の端部材128の中央に設けた貫通穴の近傍の端部材128の内側に図示しない小型の開閉弁を備え、エア抜きバルブ穴122から開閉弁を押し開くことにより、空腔上部に溜まった空気を脱気可能とするものであるも、開閉弁及びエア抜きバルブ穴122を備えることなく、中央に雌ネジを形成した流路穴123のみを有する端部材128を角パイプ120の両端に接続固定した角パイプ120とすることもある。
【０１０９】
更に、エア抜きバルブ穴122を設けない場合、角パイプ120として外形は矩形としつつ、内部には円筒状の空腔を設け、円筒状の空腔は貫通穴の直径よりも僅かに小さくして円筒状空腔の両端に雌ネジを形成して接続部129とし、端部材128を省略した貫通角パイプ121や分岐角パイプ125とすることもある。
【０１１０】
そして、角パイプ120は、金属製角パイプに限るものでなく、合成樹脂製の樹脂角パイプを用いることもあり、樹脂角パイプでは断熱性樹脂を用いて断熱性を角パイプ120に持たせ、Ｌ型断熱材151やクランク型断熱材153、側面断熱材155及び穴開き断熱材157等の断熱材を使用せずに流体切換え制御バルブ装置480の組み立てを行えるようにすることもある。
【０１１１】
この様に、隣接する角パイプ120である縦管相互の熱移動を阻止することにより、ヒートポンプ410の凝縮器外部配管421及び蒸発器外部配管425を種々の機器に接続して熱媒液の流路制御を行う流体切換え制御バルブ装置480として、当該流体制御回路を流れる液体の温度変化を防止し、ヒートポンプ410により熱移動させた高温の流体と低温の流体とを効率良く所要の機器に搬送することができる。
【０１１２】
更に、樹脂角パイプを用いることにより、流体切換え制御バルブ装置480を軽量化し、流体切換え制御バルブ装置480の各種システム等への組み込みを容易とすることができる。
【０１１３】
また、接続パイプ140は、鋼管の両端に接続部147としてのシーリングナットを備えたものに限ることなく、所要長さＬ１〜Ｌｎに相当する長さのフレキシブルパイプの両端にシーリングナットを接続部147として備える接続パイプ140とすることもある。
【０１１４】
この様に接続パイプ140をフレキシブルパイプとすれば、縦管とする角パイプ120を相互に接続するに際し、角パイプ120相互間の間隙に多少の誤差が生じていても容易に接続することができる。
【０１１５】
更に、所要個数の角パイプ120を２列に並べて結合するに際し、クランプやベルトを用いる場合に限ることなく、図１８に示すように、固定部材としてフレーム枠180を用いて流体切換え制御バルブ装置480を組上げるようにすることもある。
【０１１６】
このフレーム枠180は、２列に所要個数が並べられた角パイプ120の上端近傍側面を板状の上部前フレーム182、上部右フレーム183、図示しない上部後フレーム及び上部左フレームにより角パイプ120の外表面を囲む上部フレーム181と、各角パイプ120の下端近傍側面及び各角パイプ120の下面周縁部に当接される断面Ｌ字型をした下部前フレーム192、下部右フレーム193、下部後フレーム195、下部左フレーム194による長方形を形成する下部フレーム191とを２本の連結フレーム188により接続しているものである。
【０１１７】
尚、図１８では、流体切換え制御バルブ装置480の左右両端において上部フレーム181と下部フレーム191とを接続する２本の連結フレーム188を有するフレーム枠180としているも、流体切換え制御バルブ装置480の四隅において上部フレーム181と下部フレーム191とを接続する４本の連結フレーム188を有するフレーム枠180とすることもある。
【０１１８】
このフレーム枠180は、組み立てる流体切換え制御バルブ装置480に用いる角パイプ120の本数により前フレーム及び後フレームの長さを決定しておけば、分岐角パイプ125の側面に接続補助具135を固定する前に所要個数を並べてフレーム枠180に収納し、流体切換え制御バルブ装置480の全体配置を決定して流体切換え制御バルブ装置480の組み立てを一層容易とすることができる。
【０１１９】
そして、図面に示した電磁三方弁110は、３個の接続管部115の先端を等間隔Ｓ１として隣接する角パイプ120の距離と一致する直線上に配置しているも、角パイプ120を２列に配置した流体切換え制御バルブ装置480における前列に配置した角パイプ120の２個と後列に配置した角パイプ120の１個との３個の角パイプ120の上端に、又は前列に配置した角パイプ120の１個と後列に配置した角パイプ120の２個との３個の角パイプ120の上端に接続管部115で固定できるように、３個の接続管部115の先端を三角形状に配置することもある。
【０１２０】
また、図面に示した流体切換え制御バルブ装置480は、２列に所要個数並べるように配置された角パイプ120の上方に電磁三方弁110のみを固定しているも、電磁三方弁110と合わせて電磁開閉弁や電磁流量制御弁、電磁四方弁等の種々のバルブを電磁三方弁110と合わせて角パイプ120の上方に固定する流体切換え制御バルブ装置480とすることもある。
【０１２１】
更に、図１に示したように角パイプ120の両端に接続部129として雌ネジを形成する場合に限ることなく、接続部129として角パイプ120の両端から外周に雄ネジを形成したパイプ状の突出部を形成することもある。この場合、接続補助具135としたパイプボルトを使用することなく、角パイプ120の端部に電磁三方弁110を直接に接続固定することができる。
【０１２２】
そして、分岐角パイプ125の分岐穴126も同様に、図面には示さないが分岐角パイプ125の側面からパイプ状の突出部を形成し、この突出部の外周に雄ネジを形成して接続部129を分岐穴126の位置に設け、接続補助具135を用いることなく接続パイプ140の接続部147と直接に接続することもある。尚、この場合、閉塞部材130としては、シーリングボルトではなく、キャップナットを閉塞部材130とし、分岐穴126の外周に形成される接続部129としての雄ネジにキャップナットを螺合させて突出部の先端を閉鎖するものである。
【０１２３】
また、電磁三方弁110の接続部117や接続パイプ140の接続部147として、雌ネジが形成されたシーリングナットに換えて外周に雄ネジを形成したパイプ形状の接続部とし、この雄ネジを形成した接続部により、接続補助具135とするパイプボルトを用いることなく電磁三方弁110や接続パイプ140を角パイプ120へ直接に接続固定できるようにすることもある。
【０１２４】
更に、電磁三方弁110の接続部117や接続パイプ140の接続部147に雌ネジ又は雄ネジを形成して角パイプ120両端の接続部129や分岐角パイプ125の分岐穴126と螺合により接続固定する場合に限ることなく、電磁三方弁110の接続部117や接続パイプ140の接続部147と角パイプ120両端の流路穴123や側面の分岐穴126との接続を嵌合状態による結合を可能とし、電磁三方弁110の接続管部115の先端や接続パイプ140の端部143先端を角パイプ120の流路穴123や分岐穴126に嵌入固定することもある。
【０１２５】
この場合、閉塞部材130もシーリングボルトやシーリングナットの様にネジ部を有する部材とするものでなく、流路穴123や分岐穴126に挿入可能な栓状の部材とし、流路穴123や分岐穴126に嵌合固定が可能な閉塞部材130とするものである。
【０１２６】
また、図面に示した分岐角パイプ125は５個の分岐穴126を備えているも、分岐角パイプ125の分岐穴126は２個又は３個であっても、複数の分岐穴126を有すれば、端部に電磁三方弁110の接続管部115の１つを接続した分岐角パイプ125を他の複数の分岐角パイプ125、即ち他の電磁三方弁110の接続管部115と接続し、複数の電磁三方弁110を相互に接続する流体切換え制御バルブ装置480とすることができるものである。
【０１２７】
そして、角パイプ120として合成樹脂製の樹脂角パイプとする場合、金型を用いて射出成型等により各角パイプ120を形成する場合や、押し出し成型による角パイプ本体の成形及びタッピング等による雌ネジとした接続部129を備えた各貫通角パイプ121や各分岐角パイプ125を形成する場合に限ることなく、複数の角パイプ120を二列に配置したパイプブロックを３Ｄプリンタにより成形することもある。
【０１２８】
この場合、図１４に示したように、複数本の角パイプ120を二列に並べたパイプブロックであって、接続パイプ140が接続されない分岐穴126や配管が接続されない又は電磁三方弁110等のバルブ類が接続されない流路穴123を閉塞部材130で閉鎖した状態のパイプブロックを３Ｄプリンタにより成形するものである。
【０１２９】
従って、このパイプブロックに電磁三方弁110や接続パイプ140、ヒートポンプ410への配管や他の機器への配管、開閉弁等の各種弁類への配管をパイプブロックの流路穴123や分岐穴126に取り付けるのみで、流体制御回路としての流体切換え制御バルブ装置480を極めて簡単に組上げることができる。
【０１３０】
また、合成樹脂として断熱性樹脂を用いることなく、接続部129を備えた流路穴123を両端に備える各角パイプ120における両端の流路穴123を連通する空腔の相互間の位置、即ち、図１４又は図１５に示したクランク型断熱材153の位置等に、断熱空間としての空気層を形成するようにして、貫通角パイプ121や分岐角パイプ125を二列に配置したパイプブロックとして３Ｄプリンタにより成形することもできる。
【産業上の利用可能性】
【０１３１】
本発明に係る流体制御切換えバルブ用セットは、角パイプ120と電磁三方弁110と接続パイプ140及び閉塞部材130とで構成され、角パイプ120は貫通角パイプ121と分岐角パイプ125とされて分岐角パイプ125の分岐穴126相互を接続パイプ140で接続することにより流体切換え制御バルブ装置480とすることができるものであるから、種々の流体制御回路とする流体切換え制御バルブ装置480の組み立てを容易とすることができ、この流体切換え制御バルブ装置480を小型の流体制御回路とすることができる。
【符号の説明】
【０１３２】
１１０  電磁三方弁
１１１  弁本体                    １１３  制御部
１１５  接続管部                  １１７  接続部
１２０  角パイプ
１２１  貫通角パイプ              １２２  エア抜きバルブ穴
１２３  流路穴                    １２５  分岐角パイプ
１２６  分岐穴                    １２８  端部材
１２９  接続部
１３０  閉塞部材
１３１  頭部                      １３３  挿入部
１３５  接続補助具
１３６  中央頭部                  １３７  挿入固定部
１３９  貫通穴
１４０  接続パイプ
１４１  本体部                    １４３  端部
１４７  接続部
１５１  Ｌ型断熱材                １５３  クランク型断熱材
１５５  側面断熱材                １５７  穴開き断熱材
１５９  Ｔ型断熱材                １６１  主断熱面部
１６３  仕切り断熱面部
１８０  フレーム枠
１８１  上部フレーム            １８２  上部前フレーム
１８３  上部右フレーム          １８４  上部左フレーム
１８８  連結フレーム            １９１  下部フレーム
１９２  下部前フレーム          １９３  下部右フレーム
１９４  下部左フレーム          １９５  下部後フレーム
２０１〜２４９  第１縦管〜第４９縦管
２５１'  隣接接続パイプ
２５１〜２７４  第１パイプ〜第２４パイプ（Ｌ１〜Ｌ２４）
３０１〜３１５  第１バルブ〜第１５バルブ
３１７  開閉バルブ
４１０  ヒートポンプ
４１１  圧縮機                    ４１２  凝縮器
４１３  膨張弁                    ４１４  蒸発器
４２１  凝縮器外部配管            ４２３  凝縮器外部循環ポンプ
４２５  蒸発器外部配管            ４２７  蒸発器外部循環ポンプ
４３１  地中熱採熱配管
４３５  太陽熱採熱パネル
４３６  太陽熱採熱配管            ４３７  太陽熱循環ポンプ
４４１  熱媒タンク
４４３  上部配管                  ４４４  中央配管
４４５  下部配管
４５１  温水タンク
４５３  上部加熱配管              ４５５  下部加熱配管
４６１  空調装置
４６３  空調用配管                ４６４  送出ポンプ
４７１  床冷暖房装置
４７３  床冷暖房用配管            ４７４  循環ポンプ
４７７  切換えバルブ
４８０、４８３  流体切換え制御バルブ装置
４８５  バルブ制御装置
【図１】
2019015329.tif 000003
【図２】
2019015329.tif 000004
【図３】
2019015329.tif 000005
【図４】
2019015329.tif 000006
【図５】
2019015329.tif 000007
【図６】
2019015329.tif 000008
【図７】
2019015329.tif 000009
【図８】
2019015329.tif 000010
【図９】
2019015329.tif 000011
【図１０】
2019015329.tif 000012
【図１１】
2019015329.tif 000013
【図１２】
2019015329.tif 000014
【図１３】
2019015329.tif 000015
【図１４】
2019015329.tif 000016
【図１５】
2019015329.tif 000017
【図１６】
2019015329.tif 000018
【図１７】
2019015329.tif 000019
【図１８】
2019015329.tif 000020